(57)【要約】【課題】監視対象者が危険なエリアに進入していることを、容易に、かつ確実に確認できるようにする。【解決手段】位置検出センタ５は、監視対象者が有するPHS端末４−１，４−２から送信される電波を受信し、監視対象者の位置を取得する。監視センタ３は、監視者が操作するパーソナルコンピュータ１により予め設定された危険エリアと、位置検出センタ５から送信されてきた監視対象者の位置情報をマッチングし、監視対象者が危険エリア内に進入しているか否かを判定する。監視センタ３は、監視対象者が危険エリア内に進入していると判定した場合、監視者が有するパーソナルコンピュータ１、および携帯電話機２に対して、監視対象者が危険エリア内に進入していることを通知する。また、監視センタ３は、監視対象者が有するPHS端末４−１，４−２に対しても、危険エリア内に進入していることを通知する。【選択図】図３
2005011363.tif 000002
【特許請求の範囲】
【請求項１】
監視者により通信網を介して行われる設定に応じて警告エリアを設定する設定手段と、
監視対象者が有する携帯端末の位置を取得する取得手段と、
前記監視対象者を監視する監視者の通知先を指定する情報、および前記携帯端末を通知先とするための情報を記憶する記憶手段と、
前記取得手段により取得された前記携帯端末の位置に基づいて、前記監視対象者が危険エリアに入っていると判定した場合、前記記憶手段により記憶されている情報に基づいて、前記監視者の通知先と前記携帯端末の両方に対して警告を行う警告手段と
を備えることを特徴とする監視装置。
【請求項２】
監視者により通信網を介して行われる設定に応じて警告エリアを設定する設定ステップと、
監視対象者が有する携帯端末の位置を取得する取得ステップと、
前記監視対象者を監視する監視者の通知先を指定する情報、および前記携帯端末を通知先とするための情報を記憶する記憶ステップと、
前記取得ステップの処理により取得された前記携帯端末の位置に基づいて、前記監視対象者が危険エリアに入っていると判定した場合、前記記憶手段により記憶されている情報に基づいて、前記監視者の通知先と前記携帯端末の両方に対して警告を行う警告ステップと
を含むことを特徴とする監視方法。
【請求項３】
監視者により通信網を介して行われる設定に応じて警告エリアを設定する設定ステップと、
監視対象者が有する携帯端末の位置の取得を制御する取得制御ステップと、
前記監視対象者を監視する監視者の通知先を指定する情報、および前記携帯端末を通知先とするための情報の記憶を制御する記憶制御ステップと、
前記取得制御ステップの処理により取得された前記携帯端末の位置に基づいて、前記監視対象者が危険エリアに入っていると判定した場合、前記記憶制御ステップの処理により記憶されている情報に基づいて、前記監視者の通知先と前記携帯端末の両方に対する警告を行わせる警告制御ステップと
を含むことを特徴とするコンピュータが読み取り可能なプログラムが記録されている記録媒体。
【発明の詳細な説明】
【技術分野】
【０００１】
本発明は、監視装置および方法、並びに記録媒体に関し、特に、監視対象者が危険なエリアに進入していることを、容易に、かつ確実に監視者が確認できるようにした監視装置および方法、並びに記録媒体に関する。
【背景技術】
【０００２】
近年、通信技術の発達に伴い、PHS(Personal Handy Phone)端末を保持している、例えば、子供や老人などの監視対象者の位置情報を、その保護者に通知するサービスが行われている。
【０００３】
図１は、従来の位置通知システムの構成例を示すブロック図である。このシステムの動作について、図２のフローチャートを参照して説明する。PHS端末１は、例えば、監視対象者である子供により保持されており、基地局２は、ステップＳ１において、受信される電波に基づいて、PHS端末１（子供）の位置を検出する。
【０００４】
検出された子供の位置情報は、センタ３に通知され、ステップＳ２において、センタ３は、地図情報と対応づけて、監視者が有する位置情報表示端末４に提供する。この位置情報表示端末４は、例えば、パーソナルコンピュータやファクシミリなどであり、ステップＳ３において、地図上に、子供の現在位置がポインタなどにより示される。これにより保護者は、子供の現在位置を確認することができ、危険な場所に近づいていないかなどを判断することができる。
【特許文献１】特開平９−３５１８１号公報
【特許文献２】特開２０００−９９４４２号公報
【特許文献３】特開平１１−２９５０９７号公報
【発明の開示】
【発明が解決しようとする課題】
【０００５】
しかしながら、上述したシステムにおいては、位置情報が通知されるものの、その位置が危険な場所であるか否かの判断は、保護者がしなければならない。そのため、実際に危険な場所に進入しているにも関わらず、それに気付かないということがあった。
【０００６】
また、監視対象の子供などの位置は、刻々と変化するため、それを監視するためには、常時、または所定の時間毎に、このサービスを利用して監視対象者の位置を確認しなければならない。
【０００７】
本発明はこのような状況に鑑みてなされたものであり、監視対象者が危険な場所に進入していることを、容易に、かつ、確実に監視者が確認できるようにしたものである。
【課題を解決するための手段】
【０００８】
本発明の監視装置は、監視者により通信網を介して行われる設定に応じて警告エリアを設定する設定手段と、監視対象者が有する携帯端末の位置を取得する取得手段と、監視対象者を監視する監視者の通知先を指定する情報、および携帯端末を通知先とするための情報を記憶する記憶手段と、取得手段により取得された携帯端末の位置に基づいて、監視対象者が危険エリアに入っていると判定した場合、記憶手段により記憶されている情報に基づいて、監視者の通知先と携帯端末の両方に対して警告を行う警告手段とを備えることを特徴とする。
【０００９】
本発明の監視方法は、監視者により通信網を介して行われる設定に応じて警告エリアを設定する設定ステップと、監視対象者が有する携帯端末の位置を取得する取得ステップと、監視対象者を監視する監視者の通知先を指定する情報、および携帯端末を通知先とするための情報を記憶する記憶ステップと、取得ステップの処理により取得された携帯端末の位置に基づいて、監視対象者が危険エリアに入っていると判定した場合、記憶手段により記憶されている情報に基づいて、監視者の通知先と携帯端末の両方に対して警告を行う警告ステップとを含むことを特徴とする。
【００１０】
本発明の記録媒体は、監視者により通信網を介して行われる設定に応じて警告エリアを設定する設定ステップと、監視対象者が有する携帯端末の位置の取得を制御する取得制御ステップと、監視対象者を監視する監視者の通知先を指定する情報、および携帯端末を通知先とするための情報の記憶を制御する記憶制御ステップと、取得制御ステップの処理により取得された携帯端末の位置に基づいて、監視対象者が危険エリアに入っていると判定した場合、記憶制御ステップの処理により記憶されている情報に基づいて、監視者の通知先と携帯端末の両方に対する警告を行わせる警告制御ステップとを含むコンピュータが読み取り可能なプログラムが記録されていることを特徴とする。
【００１１】
本発明の監視装置および方法、並びにプログラムにおいては、監視者により通信網を介して行われる設定に応じて警告エリアが設定され、監視対象者が有する携帯端末の位置が取得される。また、監視対象者を監視する監視者の通知先を指定する情報、および携帯端末を通知先とするための情報が記憶され、携帯端末の位置に基づいて、監視対象者が危険エリアに入っていると判定した場合、記憶されている情報に基づいて、監視者の通知先と携帯端末の両方に対して警告が行われる。
【発明の効果】
【００１２】
本発明によれば、監視者は、監視対象者が危険な場所に進入していることを、容易に、かつ、確実に確認することができる。
【００１３】
また、本発明によれば、移動する監視対象者を、常時監視する必要が無くなるため、監視者の労力を軽減することができる。
【発明を実施するための最良の形態】
【００１４】
図３は、本発明を適用した監視システムの概念を示す図である。
【００１５】
図３において、パーソナルコンピュータ１、および携帯電話機２は、監視者が有するものであり、PHS端末４−１，４−２（以下、PHS端末４−１，４−２のそれぞれを個々に区別する必要がない場合、まとめてPHS端末４と称する）は、監視対象者が有するものである。そして、監視対象者は、例えば、図に示すように子供や老人などであり、監視者は、その保護者である。
【００１６】
位置検出センタ５は、PHS端末４から送信される電波を図示せぬ受信端末において受信し、その受信端末の位置に基づいて、監視対象者の位置を特定する。位置検出センタ５により検出された位置情報は、監視センタ３に通知される。
【００１７】
監視センタ３は、監視者（パーソナルコンピュータ１）により予め設定された危険エリア（警告エリア）に関する情報を保持しており、位置検出センタ５から通知された位置情報に基づいて、監視対象者が危険エリアに進入しているか否かを判定する。そして、監視センタ３は、監視対象者が危険エリアに進入していると判定した場合、その場合の通知先として予め登録されている、監視者が有するパーソナルコンピュータ１および携帯電話機２に電子メールなどにより通知する。また、監視センタ３は、監視対象者が有するPHS端末４に対しても、危険エリアに進入していることを電子メールで通知する。すなわち、図３において、白抜き矢印は、警告情報（監視対象者が危険エリア内に進入していることを通知する情報）の流れを示している。
【００１８】
上述したように、監視者は、警告を受けるために、パーソナルコンピュータ１を利用して、監視センタ３の所定のページにアクセスし、危険エリアを設定するとともに、監視対象者が危険エリアに進入した場合の通知先を設定する必要がある。この通知先は、複数個設定することもできる。
【００１９】
図４は、図３の監視システムの構成例を示すブロック図である。
【００２０】
図４において、センタ装置１１は、監視センタ３により管理され、基本的に、センタ制御装置２１、およびセンタ通信装置２２から構成される。センタ制御装置２１は、センタ通信装置２２を制御し、通信網１３を介して、様々な情報を送受信する。
【００２１】
位置情報検出装置１２は、位置検出センタ５により管理され、PHS端末４の現在位置を取得する。取得された位置情報は、通信網１３を介してセンタ装置１１に送信される。
【００２２】
パーソナルコンピュータ１は、監視者により管理され、基本的に、監視対象者の位置情報を表示するCRT(Cathode Ray Tube)やLCD(Liquid Crystal Display)などよりなる位置情報表示部３１、センタ装置１１にアクセスし、地図上に危険エリアを設定するとき起動するプログラムである属性情報設定部３２、および通信部３３により構成される。
【００２３】
図５は、図４のセンタ装置１１の詳細な構成例を示すブロック図である。センタ制御装置２１は、入出力バス４１を介して、センタ装置１１の全体の動作を制御する。記憶装置４２は、監視者により設定される危険エリアなどの地図上における属性情報を、ユーザID（監視対象者のID）に対応させて記憶する。CRT４３は、センタ制御装置２１からの指示に基づいて、例えば、設定されている危険エリアに監視対象者が進入したとき、それをセンタ装置１１の管理者に提示する。キーボード４４、およびマウス４５は、センタ装置１１の管理者により操作され、操作内容に対応する信号を入出力バス４１を介してセンタ制御装置２１に出力する。
【００２４】
図６は、図４のパーソナルコンピュータ１の詳細な構成例を示すブロック図である。制御部６１は、入出力バス６２を介して、パーソナルコンピュータ１の全体の動作を制御する。記憶装置６３は、制御部６１により実行されるプログラムを記憶する。キーボード６４、およびマウス６５は、監視者により操作され、操作内容に対応する信号を入出力バス６２を介して制御部６１に出力する。
【００２５】
図７は、図４の携帯電話機２の構成例を示すブロック図である。制御部７１は、入出力バス７３を介して各部を制御し、携帯電話機２の全体の動作を制御する。通信部７２は、通信網１３を介して様々な装置と通信し、受信したパケットを制御部７１に出力する。メモリ７４は、不揮発性のフラッシュメモリよりなり、登録された電話番号などの情報を記憶するとともに、例えば、センタ装置１１から送信されてきた、監視対象者が危険エリアに進入していることを通知するメッセージを含む電子メールなどを記憶する。LCD７５は、制御部７１からの指示に基づいて、各種の情報を表示する。例えば、LCD７５には、監視対象者が危険エリアに進入していることを監視者に通知するメッセージなどが表示される。入力部７６は、テンキーや十字キーなどよりなり、携帯電話機２のユーザ（監視者）からの入力を受け付ける。スピーカ７７およびマイクロフォン７８は、制御部７１が通話モードを実行しているとき動作し、スピーカ７７は、他の電話機などから送信されてきた音声を入出力バス７３を介して制御部７１から受信したとき、それを出力し、マイクロフォン７８は、携帯電話機２のユーザの発話を集音して入出力バス７３を介して制御部７１に出力する。
【００２６】
なお、PHS端末４の構成は、基本的に、携帯電話機２の構成と同様の構成である。
【００２７】
次に、図４の監視システムの動作について説明する。まず、図８のフローチャートを参照して、危険エリアを設定するパーソナルコンピュータ１の設定処理について説明する。
【００２８】
ステップＳ１１において、制御部６１は、監視者からキーボード６４などが操作され、危険エリアを設定することが指示された場合、センタ装置１１にアクセスし、監視者により入力された監視対象者のIDを送信する。すなわち、この監視システムを利用するに先立ち、監視者は、監視対象者に関する情報をセンタ装置１１に登録しておく必要がある。センタ装置１１は、発行したIDに対応させて、監視者（パーソナルコンピュータ１）により設定された危険エリアを記憶する。
【００２９】
ステップＳ１２において、制御部６１は、センタ装置１１から送信されてきたメニューページをCRTなどよりなる位置情報表示部３１に表示する。
【００３０】
図９は、ステップＳ１２で表示されるメニューページの例を示す図である。図に示すように、例えば、属性情報（危険エリア）を初めて設定するとき操作されるボタン９１、既に設定している属性情報の設定を変更するとき操作されるボタン９２が表示され、監視者は、カーソル９３を移動させて選択する。
【００３１】
ステップＳ１３において、制御部６１は、属性情報を初期設定することが選択されたか（図９においてボタン９１が選択されたか）否かを判定し、属性情報を初期設定することが選択されたと判定した場合、ステップＳ１４に進み、属性情報設定処理を実行する。また、制御部６１は、ステップＳ１３において、属性情報を設定することが選択されていない、すなわち、設定の変更が選択された（図９においてボタン９２が選択された）と判定した場合、ステップＳ１５に進み、属性情報設定変更処理を実行する。そして、ステップＳ１４、またはステップＳ１５の処理の後、処理は終了される。
【００３２】
次に、図１０のフローチャートを参照して、図８のステップＳ１４において実行されるパーソナルコンピュータ１の属性情報設定処理の詳細な処理について説明する。
【００３３】
ステップＳ３１において、制御部６１は、センタ装置１１に格納される属性情報の設定ページにアクセスし、監視者により選択されたエリアの地図情報を位置情報表示部３１に表示する。
【００３４】
図１１は、ステップＳ３１において表示される地図情報の例を示す図である。例えば、図に示すように、地図が表示され、監視者は、マウス６５でカーソル９３を操作し、ドラックなどをすることにより危険エリアEを設定することができる。また、所定の区画毎に、１区画ずつ監視者がクリックして危険エリアEを設定するようにしてもよい。
【００３５】
制御部６１は、ステップＳ３２において、監視者から危険エリアが入力されたか否かを判定し、上述したように、ドラックなどにより危険エリアが入力されたと判定するまで、ステップＳ３１に戻り、それ以降の処理を繰り返し実行する。そして、制御部６１は、危険エリアが入力されたと判定した場合、ステップＳ３３に進み、入力されたエリアを危険エリアとして設定することを監視装置１１に指示する。入力された危険エリアに関する情報は、IDとともに、通信部３３から通信網１３を介して、センタ装置１１に送信される。
【００３６】
ステップＳ３４において、制御部６１は、属性情報（危険エリア）の設定を終了することが指示されたか否かを判定し、指示されていないと判定した場合、ステップＳ３１に戻り、それ以降の処理を繰り返し実行する。一方、制御部６１は、ステップＳ３４で、設定を終了することが指示されたと判定した場合、図８のステップＳ１４以降の処理を実行する。
【００３７】
以上においては、図８のステップＳ１４において実行される処理について説明したが、ステップＳ１５においても、図１０と同様の処理により、危険エリアが設定される。すなわち、センタ装置１１においては、送信されてきたIDに対応する、既に危険エリアが設定されている地図情報が読み出され、それがパーソナルコンピュータ１の位置情報表示部３１に表示される。監視者は、表示されている地図情報に対してマウス６５などを操作して危険エリアを設定し、センタ装置１１に送信する。センタ装置１１においては、変更した危険エリアにより更新登録される。このように、監視者は、容易に危険エリアを設定することができる。また、携帯電話機２からセンタ装置１１にアクセスし、上述したような処理により危険エリアを設定するようにしてもよい。
【００３８】
次に、図１２のフローチャートを参照して、センタ装置１１の属性情報（危険エリア）の登録処理について説明する。
【００３９】
ステップＳ４１において、センタ制御装置２１は、パーソナルコンピュータ１からIDが送信されてきたか否かを判定し、送信されてきたと判定するまで待機する。そして、センタ制御装置２１は、IDが送信されてきたと判定した場合、ステップＳ４２に進み、メニューページを送信する。メニューページは、通信網１３を介してパーソナルコンピュータ１に送信され、図９に示した画面がパーソナルコンピュータ１の位置情報表示部３１に表示される。
【００４０】
そして、センタ制御装置２１は、ステップＳ４３において、危険エリアの新規登録、または危険エリアの設定変更が選択されることに応じて、IDに対応させて記憶装置４２に登録している設定情報（地図情報）を読み出し、センタ通信装置２２から送信する。地図情報は、通信網１３を介してパーソナルコンピュータ１に送信される。これにより、パーソナルコンピュータ１においては、例えば、図１１に示したような地図情報が表示され、監視者が危険エリアを設定できるようになる。
【００４１】
ステップＳ４４において、センタ制御装置２１は、危険エリアの設定が指示されたか否かを判定し、指示されるまで待機する。そして、センタ制御装置２１は、設定が指示されたと判定した場合、ステップＳ４５に進み、危険エリアを設定し、IDに対応づけて記憶装置４２に登録する。これにより、新規登録の場合、指示されたエリアが危険エリアとして登録され、設定変更の場合、危険エリアが、指示されたエリアにより更新登録される。
【００４２】
ステップＳ４６において、センタ制御装置２１は、パーソナルコンピュータ１において、設定が終了されたか否かを判定し、終了されるまでステップＳ４４に戻り、それ以降の処理を繰り返し実行する。一方、パーソナルコンピュータ１において、属性情報の設定が終了されたとき、処理は終了される。
【００４３】
この監視システムにおいては、監視者は、セキュリティモードを携帯電話機２からセンタ装置１１の所定のページにアクセスして変更することができる。例えば、監視対象者の位置を監視するとき、セキュリティモードがオン状態であるとし、監視をしないとき、セキュリティモードがオフ状態であるとする。次に、図１３のフローチャートを参照して、セキュリティモードを変更する携帯電話機２の処理について説明する。
【００４４】
ステップＳ７１において、制御部７１は、監視者が入力部７６を操作し、セキュリティモードを変更することを指示したとき、それに応じて、センタ装置１１に格納される所定のページにアクセスする。
【００４５】
制御部７１は、ステップＳ７２において、入力部７６から監視者により入力された監視対象者のIDを通信部７２を制御し、センタ装置１１に送信する。IDを受信したセンタ装置１１は、監視対象者のIDに基づいて、現在のモードの状態を確認し、監視者が設定を選択するページを携帯電話機２に対して送信する。
【００４６】
ステップＳ７３において、センタ装置１１から送信されてきた設定ページを受信した制御部７１は、セキュリティモードの設定ページをLCD７５に表示する。
【００４７】
図１４は、LCD７５に表示される設定ページの例を示す図である。図に示すように、監視者は、例えば、入力部７６を構成するテンキーの１番のボタンを操作してセキュリティモードをオンとし、２番のボタンを操作してオフとすることができる。
【００４８】
図１４に示すような設定ページにおいて、監視者からセキュリティモードが入力されたとき、制御部７１は、ステップＳ７４において、入力されたセキュリティモードをセンタ装置１１に送信する。以上のような処理により、監視者は、容易にセキュリティモードを変更することができる。当然、監視者は、上述したものと同様に、パーソナルコンピュータ１からセンタ装置１１にアクセスして、セキュリティモードを変更することができる。
【００４９】
次に、図１５乃至図１７のフローチャート、および図１８を参照して、図４の監視システムの一連の処理について説明する。まず、図１５のフローチャートを参照して、位置検出装置１２の位置検出処理について説明する。
【００５０】
ステップＳ８１において、位置検出装置１２は、PHS端末４から出力される電波を受信している受信端末の位置情報に基づいて、監視対象者の現在位置を検出する。すなわち、PHS端末４の電波を受信する受信端末が様々な位置に設置されており、その複数の受信端末は、有線により位置検出装置１２に接続されている。そして、ステップＳ８２において、位置検出装置１２は、検出した監視対象者の位置情報を通信網１３を介してセンタ装置１１に送信する。
【００５１】
次に、図１６のフローチャートを参照して、センタ装置１１の監視処理について説明する。
【００５２】
ステップＳ９１において、センタ制御装置２１は、位置検出装置１２から送信されてきた位置情報が、セキュリティモードがオンである監視対象者に関する情報であるか否かを判定する。センタ制御装置２１は、セキュリティモードがオンである監視対象者に関する情報であると判定するまで待機し、セキュリティモードがオンである監視対象者に関する情報であると判定した場合、ステップＳ９２に進み、それを受信する（取り込む）。
【００５３】
センタ制御装置２１は、ステップＳ９３において、登録されている設定情報（危険エリアが設定されている地図情報）を読み出す。そして、センタ制御装置２１は、ステップＳ９４において、通知された監視対象者の現在の位置情報と、危険エリアが設定されている地図情報とをマッチングする。
【００５４】
センタ制御装置２１は、ステップＳ９５において、ステップＳ９４で実行したマッチングの結果、監視対象者が危険エリアに存在するか否かを判定し、危険エリアに存在しないと判定した場合、ステップＳ９１に戻り、それ以降の処理を繰り返し実行する。一方、ステップＳ９５において、センタ制御装置２１は、監視対象者が危険エリアに存在すると判定した場合、警告モードとなり、ステップＳ９６において、監視対象者が有しているPHS端末４に、危険エリアに入っていることを通知する警告情報を送信する。
【００５５】
また、センタ制御装置２１は、ステップＳ９７において、通知先として予め登録されている監視者の携帯電話機２の電話番号やメールアドレスなどを記憶装置４２から読み出し、監視対象者が危険エリアに進入していることを通知する警告情報を、通信網１３を介して携帯電話機２に送信する。
【００５６】
さらに、センタ制御装置２１は、ステップＳ９８において、監視者が有するパーソナルコンピュータ１に対して、監視対象者が危険エリアに進入していることを通知する警告情報を、通信網１３を介して通知する。このステップＳ９７、およびステップＳ９８で通知する通知先が複数登録されている場合、センタ制御装置２１は、その全ての通知先に対して、監視対象者が危険エリアに存在することを通知する。
【００５７】
ステップＳ９９において、センタ制御装置２１は、警告モードを解除することがパーソナルコンピュータ１、または携帯電話機２から指示されたか否かを判定し、解除することが指示されたと判定するまで、ステップＳ９６に戻り、それ以降の処理を繰り返し実行する。すなわち、警告モードが解除されるまで、PHS端末４、携帯電話機２、およびパーソナルコンピュータ１に対して、所定時間毎に、警告情報が送信される。
【００５８】
そして、センタ制御装置２１は、ステップＳ９９において、パーソナルコンピュータ１、または携帯電話機２から警告モードを解除することが指示されたと判定した場合、ステップＳ１００に進み、警告モードを解除する。例えば、監視者が、通知された監視対象者の位置情報に基づいて、監視対象者の安全を確認した場合、携帯電話機２からセンタ装置１１に警告モードを解除することが指示される。
【００５９】
次に、図１７のフローチャートを参照して、PHS端末４の警告出力処理について説明する。ステップＳ１１１において、PHS端末４の制御部は、センタ装置１１から警告情報が送信されてきたか否かを判定し、送信されてきたと判定するまで待機する。そして、制御部は、警告情報が送信されてきたと判定した場合、ステップＳ１１２に進み、それを表示する。
【００６０】
図１８は、監視対象者が有するPHS端末４に表示される警告情報の例を示す図である。図に示すように、例えば、監視対象者が子供の場合、「学校で決められた行動地域から出ようとしています。すぐに戻って下さい。」などのメッセージが表示される。また、監視対象者が、老人である場合、例えば、「ここから先に入ってはいけません。」などのメッセージとされる。このようなメッセージを確認した監視対象者は、危険エリアに入っていることを確認し、危険エリアから出る。
【００６１】
そして、処理はステップＳ１１１に戻り、例えば、センタ装置１１において警告モードが解除されるまで、所定時間毎に、警告情報が繰り返し表示される。
【００６２】
次に、図１９のフローチャートを参照して、携帯電話機２の警告情報の出力処理について説明する。
【００６３】
ステップＳ１２１、およびＳ１２２の処理は、図１７のフローチャートを参照して説明したPHS端末４の処理（ステップＳ１１１、およびＳ１１２の処理）と同様の処理である。すなわち、ステップＳ１２１において、制御部７１は、警告情報がセンタ装置１１から送信されてきたか否かを判定し、送信されてきたと判定するまで待機する。制御部７１は、警告情報がセンタ装置１１から送信されてきたと判定した場合、ステップＳ１２２に進み、それをLCD７５に表示する。
【００６４】
図２０は、携帯電話機２に表示される警告情報の例を示す図である。図に示すように、監視対象者が子供である場合、例えば、「一郎ちゃんが行動地域の外に出ようとしています。対処して下さい。」などのメッセージが表示される。また、監視対象者の位置も表示されるため、このメッセージを確認した監視者は、外出中であっても、監視対象者がいる場所に確認しに行ったり、監視対象者が有するPHS端末４に電話するなどの対策をとることができる。
【００６５】
監視対象者の安全を確認したとき、監視者は、警告モードを解除することをセンタ装置１１に指示する。そして、制御部７１は、ステップＳ１２３において、警告モードを解除することが入力部７６から入力されたか否かを判定する。制御部７１は、警告モードを解除することが入力されたと判定するまでステップＳ１２２に戻り、警告情報を表示し続ける。
【００６６】
一方、ステップＳ１２３において、制御部７１は、監視者が監視対象者の安全を確認し、入力部７６から警告モードを解除することを入力したと判定した場合、ステップＳ１２４に進み、警告情報の表示を消し、警告モードを解除することをセンタ装置１１に対して指示する。
【００６７】
以上においては、図１９のフローチャートを参照して、携帯電話機２の警告情報の出力処理について説明したが、パーソナルコンピュータ１においても同様の処理が実行され、警告情報が表示される。そして、パーソナルコンピュータ１の位置情報表示部３１には、例えば、図２１に示すような警告情報が表示される。
【００６８】
図２１においては、位置情報表示部３１のほぼ中央に、監視対象者がいる地点の周辺のエリアの地図が表示され、監視対象者の位置が位置表示ポインタ１０１で指定される。また、地図の下方には、「一郎ちゃんが危険エリアに入っています。対処してください。」などのメッセージが表示される。
【００６９】
以上においては、監視対象者が有する端末をPHS端末であるとしたが、位置を検出することができるものであれば、いずれの端末であってもよい。例えば、監視対象者が携帯電話機を有している場合、いわゆる三角測量の原理により、その位置を特定することができる。また、監視対象者がGPS端末を有している場合も、位置検出装置１２は、GPS端末から送信される位置情報を受信し、位置を特定することができる。
【図面の簡単な説明】
【００７０】
【図１】従来の監視システムの構成を示すブロック図である。
【図２】図１の監視システムの処理を説明するフローチャートである。
【図３】本発明を適用した監視システムの概念を示す図である。
【図４】図３の監視システムの構成例を示すブロック図である。
【図５】図４のセンタ装置の詳細な構成例を示すブロック図である。
【図６】図４のパーソナルコンピュータの詳細な構成例を示すブロック図である。
【図７】図４の携帯電話機の詳細な構成例を示すブロック図である。
【図８】図４のパーソナルコンピュータの処理を説明するフローチャートである。
【図９】パーソナルコンピュータの表示例を示す図である。
【図１０】図４のパーソナルコンピュータの他の処理を説明するフローチャートである。
【図１１】パーソナルコンピュータの他の表示例を示す図である。
【図１２】図４のセンタ装置の処理を説明するフローチャートである。
【図１３】図４の携帯電話機の処理を説明するフローチャートである。
【図１４】携帯電話機の表示例を示す図である。
【図１５】図４の位置検出装置の処理を説明するフローチャートである。
【図１６】図４のセンタ装置の他の処理を説明するフローチャートである。
【図１７】図４のPHS端末の処理を説明するフローチャートである。
【図１８】PHS端末の表示例を示す図である。
【図１９】図４の携帯電話機の他の処理を説明するフローチャートである。
【図２０】携帯電話機の他の表示例を示す図である。
【図２１】パーソナルコンピュータのさらに他の表示例を示す図である。
【符号の説明】
【００７１】
１  パーソナルコンピュータ
２  携帯電話機
４  PHS端末
１１  センタ装置
１２  位置検出装置
２１  センタ制御装置
２２  センタ通信装置
３１  位置情報表示部
３２  属性情報設定部
【図１】
2005011363.tif 000003
【図２】
2005011363.tif 000004
【図３】
2005011363.tif 000005
【図４】
2005011363.tif 000006
【図５】
2005011363.tif 000007
【図６】
2005011363.tif 000008
【図７】
2005011363.tif 000009
【図８】
2005011363.tif 000010
【図９】
2005011363.tif 000011
【図１０】
2005011363.tif 000012
【図１１】
2005011363.tif 000013
【図１２】
2005011363.tif 000014
【図１３】
2005011363.tif 000015
【図１４】
2005011363.tif 000016
【図１５】
2005011363.tif 000017
【図１６】
2005011363.tif 000018
【図１７】
2005011363.tif 000019
【図１８】
2005011363.tif 000020
【図１９】
2005011363.tif 000021
【図２０】
2005011363.tif 000022
【図２１】
2005011363.tif 000023